【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
視認する方向によって視認される画像が変化する視差画像印刷物として印刷可能な視差画像データの対象となる動画像を時間軸方向に非線形に圧縮または伸張し、前記視差画像印刷物用の印刷用画像データを生成する圧縮伸張手段を
備える画像処理装置。
【請求項２】
前記圧縮伸張手段は、少なくとも所定の限定視認方向範囲において、前記動画像中の所定の注視点の動きの速度、または角速度が一定になるように圧縮率または伸張率を変える
請求項１に記載の画像処理装置。
【請求項３】
前記圧縮伸張手段は、少なくとも所定の限定視認方向範囲において、伸張率を高め、静止したように見える位置を作る
請求項１に記載の画像処理装置。
【請求項４】
前記圧縮伸張手段による処理が施された動画像の最初のフレームを所定の枚数だけコピーし、前記最初のフレームの前に付加するか、または、最後のフレームを所定の枚数だけコピーし、前記最後のフレームの後に付加することのいずれか一方、または両方を実行する付加手段をさらに備える
請求項１に記載の画像処理装置。
【請求項５】
前記視差画像印刷物として印画する印画対象領域を切り出す場合、時間軸の圧縮伸張処理まで終わった全てのフレームに対して、連続的に水平方向に切り出し位置を変化させ、切り出し領域を設定する切り出し領域設定手段を
さらに備える請求項１に記載の画像処理装置。
【請求項６】
前記切り出し領域設定手段は、前記印画対象領域を切り出すとき、動画像データの中の少なくとも所定の限定視認方向範囲において、所定の注視点の動きが少なくなるように切り出し位置を変化させて、切り出し領域を設定する
請求項５に記載の画像処理装置。
【請求項７】
前記切り出し領域設定手段は、前記印画対象領域を切り出すとき、動画像データの中の少なくとも所定の限定視認方向範囲において、所定の注視点の水平方向成分の動きが少なくなるように切り出し位置を水平方向に変化させて、切り出し領域を設定する
請求項５に記載の画像処理装置。
【請求項８】
前記切り出し領域設定手段は、前記印画対象領域を切り出すとき、処理対象とされている動画像の最初のフレームと最後のフレームの対応する注視点を含む複数のフレームにおける対応注視点を指定することにより、その注視点の水平方向成分の動きが少なくなるように、切り出し領域を線形に水平方向に変化させる
請求項５に記載の画像処理装置。
【請求項９】
前記圧縮伸張手段による処理が施された動画像の最初のフレームを所定の枚数だけコピーし、前記最初のフレームの前に付加するか、または、最後のフレームを所定の枚数だけコピーし、前記最後のフレームの後に付加することのいずれか一方、または両方を実行する付加手段をさらに備え、
前記切り出し領域設定手段は、前記印画対象領域を切り出すとき、処理対象とされている動画像の最初のフレームと最後のフレームの対応する注視点の位置により、その２点の水平方向成分の動きが少なくなるように決定した線形の水平方向の移動量を延長し、付加された前記フレームに対しても同じ移動量で切り出し領域を線形に水平方向に変化させる
請求項５に記載の画像処理装置。
【請求項１０】
前記圧縮伸張手段による時間軸方向の圧縮または伸張の処理が施される前、または、前記切り出し領域設定手段よる領域の切り出しが行われる前に、インターレースで撮影された画像データに対してデインターレース処理を施し、
デインターレース処理を施すとき、１フレームから奇数ラインで構成されるフィールドと偶数ラインで構成されるフィールドとから２つのフィールドを得て、それらを用いて処理する
請求項５に記載の画像処理装置。
【請求項１１】
フレーム差分が十分小さい画像に対して、前記圧縮伸張手段による時間軸方向の圧縮または伸張の処理が施される前、または、前記切り出し領域設定手段よる領域の切り出しが行われる前に、フレームの間引きを行い使用する画像データの容量を減らす
請求項５に記載の画像処理装置。
【請求項１２】
前記切り出し領域設定手段による対象印画領域を切り出すときの水平方向の移動の向きを判定し、その向きとは逆順に、前記切り出し領域設定手段による処理が施された画像データを並べ替える
請求項５に記載の画像処理装置。
【請求項１３】
前記印刷用画像データをファイルとして保存するとき、処理条件を前記ファイル内に埋め込む、別ファイルにヘッダファイルとして記録する、またはファイル名に記録する
請求項１に記載の画像処理装置。
【請求項１４】
前記印刷用画像データに基づく画像をプレビュー画像として、正順、逆順を連続的に複数回繰り返し再生する、またはプレビュー用のファイルとして保存する
請求項１に記載の画像処理装置。
【請求項１５】
前記プレビュー画像は、連続する複数のフレームが加算されオーバーラップされた画像であるか、または被写体の動き度合いを、フレーム間での差分、またはオプティカルフローにより求め、視差画像印刷物として適正か否かを可視的に示した画像である
請求項１４に記載の画像処理装置。
【請求項１６】
前記切り出し領域設定手段は、前記動画像を撮影したカメラは固定されており、ほぼ決められたルートを被写体は動くという条件の下、撮影された動画像を処理する場合、前記被写体に対し、予め決めて記憶した情報と、少なくとも１つのキーフレームの注視点情報とから切り出し領域を動かす
請求項５に記載の画像処理装置。
【請求項１７】
前記切り出し領域設定手段は、前記動画像を撮影したカメラは固定されており、ほぼ決められたルートを被写体は動くという条件の下、撮影された動画像を処理する場合、予め決めて記憶した情報と、少なくとも一つのキーフレームの注視点情報とから領域位置に加え、切り出し領域の大きさを縦横比を保ったまま連続的に変化させ、領域の大きさを元のフレームの大きさに復元するための拡大処理を各フレームに対して行う
請求項５に記載の画像処理装置。
【請求項１８】
前記切り出し領域設定手段は、前記動画像を撮影したカメラは固定されており、ほぼ決められたルートを被写体は動くという条件の下、撮影された動画像を処理する場合、前記被写体に対し、予め決めて記憶した情報と、少なくとも１つのキーフレームの注視点情報とから切り出し領域を動かし、キーフレーム間についての移動量や拡大率は、関数変換、平滑化処理、または近似曲線処理を行って補正量を算出するか、または、予め決めて記憶した情報と、少なくとも一つのキーフレームの注視点情報とから領域位置に加え、切り出し領域の大きさを縦横比を保ったまま連続的に変化させ、領域の大きさを元のフレームの大きさに復元するための拡大処理を各フレームに対して行い、キーフレーム間についての移動量や拡大率は、関数変換、平滑化処理、または近似曲線処理を行って補正量を算出する
請求項５に記載の画像処理装置。
【請求項１９】
視認する方向によって視認される画像が変化する視差画像印刷物として印刷可能な視差画像データの対象となる動画像を時間軸方向に非線形に圧縮または伸張し、前記視差画像印刷物用の印刷用画像データを生成する
画像処理方法。
【請求項２０】
視認する方向によって視認される画像が変化する視差画像印刷物として印刷可能な視差画像データの対象となる動画像を時間軸方向に非線形に圧縮または伸張し、前記視差画像印刷物用の印刷用画像データを生成する
処理を実行させるためのコンピュータ読み取り可能なプログラム。
【手続補正２】
【補正対象書類名】明細書
【補正対象項目名】発明の名称
【補正方法】変更
【補正の内容】
【発明の名称】画像処理装置および方法、並びにプログラム
【手続補正３】
【補正対象書類名】明細書
【補正対象項目名】０００１
【補正方法】変更
【補正の内容】
【０００１】
本発明は画像処理装置および方法、並びにプログラムに関し、特に、一般的に撮影された動画像データを用いて視差画像印刷物に適した動画像データを生成することができるようにした画像処理装置および方法、並びにプログラムに関する。
【手続補正４】
【補正対象書類名】明細書
【補正対象項目名】００２４
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３４
【補正方法】変更
【補正の内容】
【００３４】
前記圧縮伸張手段による時間軸方向の圧縮または伸張の処理が施される前、または、前記切り出し領域設定手段よる領域の切り出しが行われる前に、インターレースで撮影された画像データに対してデインターレース処理を施し、デインターレース処理を施すとき、１フレームから奇数ラインで構成されるフィールドと偶数ラインで構成されるフィールドとから２つのフィールドを得て、それらを用いて処理するようにすることができる。
【手続補正７】
【補正対象書類名】明細書
【補正対象項目名】００３５
【補正方法】削除
【補正の内容】
【手続補正８】
【補正対象書類名】明細書
【補正対象項目名】００３９
【補正方法】変更
【補正の内容】
【００３９】
前記印刷用画像データに基づく画像をプレビュー画像として、正順、逆順を連続的に複数回繰り返し再生する、またはプレビュー用のファイルとして保存するようにすることができる。
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】変更
【補正の内容】
【００４１】
前記プレビュー画像は、連続する複数のフレームが加算されオーバーラップされた画像であるか、または被写体の動き度合いを、フレーム間での差分、またはオプティカルフローにより求め、視差画像印刷物として適正か否かを可視的に示した画像であるようにすることができる。
【手続補正１１】
【補正対象書類名】明細書
【補正対象項目名】００４２
【補正方法】削除
【補正の内容】
【手続補正１２】
【補正対象書類名】明細書
【補正対象項目名】００４３
【補正方法】削除
【補正の内容】
【手続補正１３】
【補正対象書類名】明細書
【補正対象項目名】００４７
【補正方法】削除
【補正の内容】
【手続補正１４】
【補正対象書類名】明細書
【補正対象項目名】００４８
【補正方法】削除
【補正の内容】
【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】変更
【補正の内容】
【００５２】
本発明の一側面の画像処理装置および方法、並びにプログラムにおいては、視差画像印刷物を作成するための画像データが、時間軸方向に、所定のフレーム数になるように圧縮または伸張することで作成される。